(57)【要約】      （修正有）【課題】術者がより使いやすく安全に利用できる医療用レーザ装置を提供する。【解決手段】医療用レーザ装置１０はレーザ発振器１３とガイド光源１６を備える。レーザ発振器１３とガイド光源１６から出力される治療用レーザ光１４とガイド光１６は導光路１８により被照射体２２へ導かれる。入力部１１で治療用レーザ光１４の出力条件（出力パワーや照射パターンなど）を規定する設定モードが設定される。出力制御部１２は設定された設定モードに応じてレーザ発振器１３から出力させる治療用レーザ光１４を制御する。ガイド光制御部２０は設定された設定モードに応じてガイド光源１６から出力されるガイド光１６の出力条件（発光色、光量、照射スポット径、照射パターンなど）を制御する。手術中の術者はガイド光１６の発光色などから治療用レーザ光１４の設定モードを視覚的に容易に確認できる。【選択図】図１
2011019871.tif 000002
【特許請求の範囲】
【請求項１】
レーザ発振器とガイド光源とを備える医療用レーザ装置であって、
前記レーザ発振器から出力される治療用レーザ光の出力条件を規定する設定モードを設定するための入力部と、
前記設定された設定モードに従って前記レーザ発振器から出力される前記治療用レーザ光を制御する出力制御部と、
前記設定された設定モードに応じて前記ガイド光源から出力されるガイド光の出力条件を制御するガイド光制御部と、
前記ガイド光と前記治療用レーザ光を目的部位に導く導光路と
を備えた医療用レーザ装置。
【請求項２】
前記ガイド光制御部は前記設定された設定モードに応じて前記ガイド光の発光色を制御することを特徴とする請求項１記載の医療用レーザ装置。
【請求項３】
前記ガイド光制御部は前記設定された設定モードに応じて前記ガイド光の光量を制御することを特徴とする請求項１記載の医療用レーザ装置。
【請求項４】
前記ガイド光制御部は前記設定された設定モードに応じて前記ガイド光の照射スポット径を制御することを特徴とする請求項１記載の医療用レーザ装置。
【請求項５】
前記ガイド光制御部は前記設定された設定モードに応じて前記ガイド光の照射パターンを制御することを特徴とする請求項１記載の医療用レーザ装置。
【請求項６】
第１のＯＮ状態と第２のＯＮ状態に設定可能な操作部をさらに備え、
前記操作部が前記第１のＯＮ状態に設定されると、前記ガイド光制御部は前記ガイド光源から前記ガイド光を出力させる一方、前記出力制御部は前記レーザ発振器を非出力状態とし、
前記操作部が前記第２のＯＮ状態に設定されると、前記ガイド光制御部は前記ガイド光源から前記ガイド光を出力させると共に、前記出力制御部は前記レーザ発振器から前記治療用レーザ光を出力させ、
前記ガイド光制御部は、前記操作部が前記第１及び第２のＯＮ状態のいずれであるかに応じて、前記ガイド光源から出力されるガイド光の出力条件を制御することを特徴とする請求項１記載の医療用レーザ装置。
【請求項７】
前記ガイド光制御部は、前記操作部が前記第１及び第２のＯＮ状態のいずれであるかに応じて、前記ガイド光の光量を制御する請求項６の記載の医療用レーザ装置。
【請求項８】
前記ガイド光制御部は、前記操作部が前記第２のＯＮ状態であるときの前記ガイド光の光量を、前記操作部が前記第１のＯＮ状態であるときの前記ガイド光の光量よりも少なくすることを特徴とする請求項７記載の医療用レーザ装置。
【請求項９】
前記ガイド光制御部は、前記操作部が前記第１及び第２のＯＮ状態のいずれであるかに応じて、前記ガイド光の照射パターンを制御することを特徴とする請求項６記載の医療用レーザ装置。
【請求項１０】
前記ガイド光制御部は、前記操作部が前記第１及び第２のＯＮ状態のいずれであるかに応じて、前記ガイド光の発光色を制御することを特徴とする請求項６記載の医療用レーザ装置。
【請求項１１】
レーザ発生器とガイド光源とを備える医療用レーザ装置であって、
前記レーザ発振器から出力される治療用レーザ光を制御する出力制御部と、
前記ガイド光源から出力されるガイド光を制御するガイド光制御部と、
前記ガイド光と前記治療用レーザ光を目的部位に導く導光路と、
第１のＯＮ状態と第２のＯＮ状態に設定可能な操作部と
を備え、
前記操作部が前記第１のＯＮ状態に設定されると、前記ガイド光制御部は前記ガイド光源から前記ガイド光を出力させる一方、前記出力制御部は前記レーザ発振器を非出力状態とし、
前記操作部が前記第２のＯＮ状態に設定されると、前記ガイド光制御部は前記ガイド光源に前記ガイド光を出力させる共に、前記出力制御部は前記レーザ発振器から前記治療用レーザ光を出力させ、
前記ガイド光制御部は、前記操作部が前記第１及び第２のＯＮ状態のいずれであるかに応じて、前記ガイド光源から出力されるガイド光の出力条件を制御することを特徴とする医療用レーザ装置。
【発明の詳細な説明】
【技術分野】
【０００１】
本発明は、レーザ発振器とガイド光源を備える医療用レーザ装置に関する。
【背景技術】
【０００２】
レーザの研究は古くから行われ、様々な媒体によるレーザ発振が可能となり、今日においてはごく一般的な技術として、通信、加工、医療などの技術に応用されている。
【０００３】
近年、医科や歯科分野、獣医分野において、生体組織（例えば、歯肉や皮膚などの軟組織）の切開、止血、凝固および蒸散などの手術・治療を目的とした医療用レーザ装置が広く用いられている。医療用レーザ装置は、レーザ光の波長、出力パワーおよび照射パターンでその有効性が決まる。また、この種の医療用レーザ装置としてNd-YAGレーザ、炭酸ガスレーザなどを用いたものがよく知られているが、いずれも非可視光レーザであるため、照射位置を指示するガイド光を治療用レーザ光と併用する構成が広く普及している。さらに、これらの医療用レーザ装置には治療用レーザ光の出力パワーや照射パターンなどの設定モードを、治療の用途によって変えることができるものも多い（特許文献１，２参照）。
【先行技術文献】
【特許文献】
【０００４】
【特許文献１】特許第２７５０１４６号明細書
【特許文献２】特開平７−１７８１１２号公報
【発明の概要】
【発明が解決しようとする課題】
【０００５】
しかしながら、従来のこの種の医療用レーザ装置では、治療用レーザ光の設定モード（出力パワーや照射パターン）に応じたガイド光の違いはなく、治療中の術者が視覚的にレーザ出力パワーや照射パターンを確認する手段がなかった。出力パワーや照射パターンは術者が設定モードを入力する操作パネルに表示されているが、治療中の術者には操作パネルを見る余裕はないのが一般的である。また、ブザー音の連続音か断続音などといった音色、音の大きさにより設定モードを術者に知らせる方法があるが、院内の騒がしさや他の機器の音による聞き間違いの可能性があり、最適な方法とは言えない。このように従来のこの種の医療用レーザ装置では、手術中に出力パワーや照射パターンを確認しづらく、万一の設定ミスの際に誤照射する可能性があった。
【０００６】
また照射位置を指示するためのガイド光は非常に有用であるが、治療中はまぶしく感じられることや、赤色のガイド光は血の色と判別しづらく治療の様子が分かり難いこともあり、ガイド光がその機能を十分に発揮しているとは言い難い。
【０００７】
本発明は、術者がより使いやすく安全に利用できる医療用レーザ装置を提供することを目的とする。具体的には、本発明は、手術中の術者が治療用レーザ光の出力パワーや照射パターンを容易に確認できるようにすること、並びにガイド光の機能をより十分に発揮させることを目的とする。
【課題を解決するための手段】
【０００８】
本発明の医療用レーザ装置は、レーザ発振器とガイド光源とを備える医療用レーザ装置であって、前記レーザ発振器から出力される治療用レーザ光の出力条件を規定する設定モードを設定するための入力部と、前記設定された設定モードに従って前記レーザ発振器から出力される前記治療用レーザ光を制御する出力制御部と、前記設定された設定モードに応じて前記ガイド光源から出力されるガイド光の出力条件を制御するガイド光制御部と、前記ガイド光と前記治療用レーザ光を目的部位に導く導光路とを備えた構成を有する。
【０００９】
この構成により、設定モードで規定された治療用レーザ光の出力条件（治療用レーザ光の出力パワーや照射パターン）をガイド光の出力条件（例えば光量、発光色、照射スポット径、照射パターン）によって治療用レーザ光の照射中に視覚的に識別することが可能となる。つまり、手術中の術者はガイド光の光量、発光色、照射パターンなどで治療用レーザ光の出力パワーや照射パターンを容易に確認できる。その結果、誤った設定の出力パワーや照射パターンでの治療用レーザ光の照射を防止でき、安全性と使いやすさを向上させることができる。
【００１０】
好ましくは、本発明の医療用レーザ装置は、第１のＯＮ状態と第２のＯＮ状態に設定可能な操作部をさらに備え、前記操作部が前記第１のＯＮ状態に設定されると、前記ガイド光制御部は前記ガイド光源から前記ガイド光を出力させる一方、前記出力制御部は前記レーザ発振器を非出力状態とし、前記操作部が前記第２のＯＮ状態に設定されると、前記ガイド光制御部は前記ガイド光源から前記ガイド光を出力させると共に、前記出力制御部は前記レーザ発振器から前記治療用レーザ光を出力させ、前記ガイド光制御部は、前記操作部が前記第１及び第２のＯＮ状態のいずれであるかに応じて、前記ガイド光源から出力されるガイド光の出力条件を制御する。
【００１１】
この構成により、治療用レーザ光を照射中（操作部は第２のＯＮ状態に設定されている）のガイド光の出力条件（光量、照射パターン、発色光など）を治療用レーザ光が照射されている目的部位を見やすいように選定することで、術者が治療をし易くなる。例えば、治療用レーザ光を照射中はガイド光の光量を低減してもよく、ガイド光の照射パターンや発光色を目的部位を見やすいように選定してもよい。
【００１２】
また、本発明の医療用レーザ装置は、レーザ発振器とガイド光源とを備える医療用レーザ装置であって、前記レーザ発振器から出力される治療用レーザ光を制御する出力制御部と、前記ガイド光源から出力されるガイド光を制御するガイド光制御部と、前記ガイド光と前記治療用レーザ光を目的部位に導く導光路と、第１のＯＮ状態と第２のＯＮ状態に設定可能な操作部とを備え、前記操作部が前記第１のＯＮ状態に設定されると、前記ガイド光制御部は前記ガイド光源から前記ガイド光を出力させる一方、前記出力制御部は前記レーザ発振器を非出力状態とし、前記操作部が前記第２のＯＮ状態に設定されると、前記ガイド光制御部は前記ガイド光源から前記ガイド光を出力させる共に、前記出力制御部は前記レーザ発振器から前記治療用レーザ光を出力させ、前記ガイド光制御部は、前記操作部が前記第１及び第２のＯＮ状態のいずれであるかに応じて、前記ガイド光源から出力されるガイド光の出力条件を制御する。
【発明の効果】
【００１３】
本発明によれば、治療用レーザ光の照射中、ガイド光の出力条件（光量、発光色、照射パターンなど）によって、治療中の術者が視覚的に治療用レーザの設定モード（出力パワーと照射モード）を容易に識別することが可能となり、誤った設定の出力パワーや照射パターンでの治療用レーザ光の照射を防止でき、安全性と使いやすさを向上させることができる。さらに、治療光照射中は見やすいガイド光の発光色、照射パターンを選定することやガイド光の明るさを抑えることで、術者が治療をし易くなる。このように本発明により術者がより使いやすく安全に利用できる医療用レーザ装置を実現できる。
【図面の簡単な説明】
【００１４】
【図１】本発明の実施の形態１における医療用レーザ装置の構成の一例を示すブロック図。
【図２】本発明の実施の形態１における医療用レーザ装置のレーザ照射パターンを示す図。
【図３】本発明の実施の形態１における医療用レーザ装置の設定モードとガイド光の条件を示す図。
【図４】本発明の実施の形態２における医療用レーザ装置のフットスイッチとガイド光および治療用レーザ光の動作の一例を示す図。
【図５】本発明の実施の形態２における医療用レーザ装置の動作の一例を示すフローチャート。
【発明を実施するための形態】
【００１５】
以下、本発明の実施の形態１について、図面を参照しながら説明する。
【００１６】
（実施の形態１）
本発明の実施の形態１に係る医療用レーザ装置は、レーザ発振器とガイド光源を備え、治療用レーザ光の設定モード（出力パワーや照射パターンなど）に応じてガイド光源から出力されるガイド光の出力条件（発光色、光量、照射パターンなど）を制御するガイド光制御部を備えることにより、治療用レーザの照射中であっても術者が治療レーザの出力設定モードを容易に確認できるようにし、安全性と使いやすさを向上させている。
【００１７】
図１に本発明の実施の形態１に係る医療用レーザ装置１０の概略構成を表すブロック図を示す。
【００１８】
図１に示すように、医療用レーザ装置１０はレーザ発振器１３とガイド光源１５を備える。また、医療用レーザ装置１０は、レーザ発振器１３から出力される治療用レーザ光１４の出力条件を規定する設定モード（出力パワーや照射パターンなど）を入力する入力部１１、レーザ発振器１３から出力される治療用レーザ光１４を設定モードに従って制御する出力制御部１２、ガイド光源１５から出力されるガイド光１６を制御するガイド光制御部２０、出力された治療用レーザ光１４とガイド光１６を被照射体２２まで導く導光路１８とハンドピース・チップ１９、レーザ発振器１３から出力された治療用レーザ光１４とガイド光源１５から出力されたガイド光１６を導光路１８に集光して入射させる集光レンズ１７、治療用レーザ光１４およびガイド光１６の照射のＯＮとＯＦＦを切り換える操作部２１を備える。本実施の形態１では、操作部２１はＯＮとＯＦＦの２つの状態に切換可能である。
【００１９】
出力制御部１２は、操作部２１がＯＮとＯＦＦのいずれであるかに応じて、治療用レーザ光１４の照射と停止を指示する信号をレーザ発振器１３に送る。また、出力制御部１２は、操作部２１がＯＮのときには、使用者が入力部１１で設定した設定モードの出力パワー、照射パターンで治療用レーザ光１４を出力するようにレーザ発振器１３を動作させる。つまり出力制御部１２は入力部１１で設定された設定モードに従って、レーザ発振器１３から出力される治療用レーザ１４を制御する。さらに、出力制御部１２は、操作部２１がＯＮとＯＦＦのいずれであるかに応じて、ガイド光１６の照射と停止を指示する信号をガイド光制御部２０に送る。また、出力制御部１２は使用者が入力部１１で設定した設定モード（出力パワー、照射パターン）に関する情報をガイド光制御部２０に送る。
【００２０】
本実施の形態１では、操作部２１がＯＮのときは、出力制御部１２がレーザ発振器１２に治療用レーザ光１４を出力させると共に、ガイド光制御部２０がガイド光源１５からガイド光１６を出力させる。一方、操作部２１がＯＦＦのときは、出力制御部１２はレーザ発振器１２からの治療用レーザ光１４の出力を停止させ、ガイド光制御部２０はガイド光源１５からのガイド光１６の出力を停止させる。つまり、本実施の形態１では、操作部２１がＯＮとＯＦＦのいずれであるかに応じて、治療用レーザ光１４とガイド光１６が共に照射又は停止される。
【００２１】
レーザ発振器１３としては例えば、１０．６μｍの波長の炭酸ガスレーザを用い、用途に応じて出力パワーの高低や照射のＯＮ/ＯＦＦ時間を変えて適切な設定モードを選定し、生体組織の切開、止血、凝固および蒸散を行う。炭酸ガスレーザ以外に、ルビーレーザ、半導体レーザ、Nd:YAGレーザ、Er:YAGレーザなどをレーザ発振器１３として用いてもよい。レーザ発振器１３から出力された治療用レーザ光１４を患者患部の被照射体２２まで導く導光路１８の形状は光ファイバーまたは中空ファイバーによるファイバー式でもミラー反射による多関節式のものでもよい。
【００２２】
図２は治療用レーザ光１４の照射パターンの例を示した図である。図２（ａ）は一定のレーザパワーを連続照射(ＣＷ)する設定モードである。出力パワーは１Ｗ〜１５Ｗ程度が想定される。この連続照射は高出力を必要とする切開や止血、パルス照射は熱影響を抑えた蒸散や凝固などといった治療に用いられる。図２（ｂ）はレーザ照射のＯＮ/ＯＦＦの時間を設けたパルス照射である。このパルス照射ではレーザ照射の休止時間があることで、被照射体の痛みや熱影響を抑えることができる設定モードとなる。使用者は用途に応じて出力パワーの高低や照射のＯＮ/ＯＦＦ時間を変えて適切な設定モードの条件を設定する。
【００２３】
ガイド光源１５は、可視光線を出力可能であれば、固体レーザ、液体レーザ、半導体レーザであってもよく、ＬＥＤであってもよい。
【００２４】
ガイド光制御部２０は、治療用レーザ光１４の出力パワーの高低や照射のＯＮ/ＯＦＦ時間を選定した設定モードの条件に応じて、ガイド光源１５から出力されるガイド光１６を適切な状態に制御する。言い換えれば、ガイド光制御部２０は、入力部１１で設定された治療用レーザ光１４の設定モード（出力パワーと照射パターン）に応じて、ガイド光源１５から出力されるガイド光１６の出力条件を切り換える。
【００２５】
例えば、ガイド光制御部２０は、図３に示すように、設定モードが連続照射であるかパルス照射であるかに応じてガイド光源１５から出力するガイド光１６の発光色を変更する。連続照射は主に切開や止血の際に利用する設定モードであり、出血を伴うことが多いため、ガイド光１６は赤色以外が望ましく、図３の例では緑色のガイド光１６を用いる。なお、緑色以外でも赤色を除く色を連続照射の際のガイド光１６の発光色として選んでもよい。一方、パルス照射は蒸散や凝固などといった出血をあまり伴わない治療に用いられるため、図３の例ではガイド光１６として安価な構成で得られる赤色とする。手術中の術者は、ガイド光１６が赤色と緑色のずれであるのかによって、治療用レーザ光１４の設定モードが連続照射とパルス照射のいずれであるのかを視覚的に容易に確認できる。ガイド光１６の発光色を切り換えるためには、ガイド光源１５がそれぞれ異なる波長の複数の発光素子を備え、発光される発光素子を切り換える構成が考えられる。また、ガイド光源１５が単一の発光素子とそれぞれ透過波長の異なる複数のフィルタを備え、発光素子から出力された光を透過させるフィルタを切り換える構成でもよい。
【００２６】
治療の目的、症例や患部の状態に応じて治療用レーザ光１４の出力パワーの高低を設定モードで選定される。ガイド光制御部２０は、この治療用レーザ光１４の出力パワーの高低に応じてガイド光源１５から出力するガイド光１６の光量を制御してもよい。例えば、治療用レーザ光１４の出力パワーが１Ｗ〜１５Ｗである場合、ガイド光制御部２０は、出力パワーが１５Ｗのときに最も明るく、出力パワーが１Ｗのときに最も明るさが低くなるように、ガイド光１６の光量を連続的又は段階的な変化させる構成が考えられる。治療中の術者は、ガイド光１６が明るいか暗いかによって、治療用レーザ光１４の出力パワーの高低を視覚的に容易に確認できる。
【００２７】
また、ガイド光制御部２０は、治療用レーザ光１４の出力パワーの高低の設定に応じて、ガイド光１６の照射スポット径を制御してもよい。例えば、治療用レーザ光１４の出力パワーが１Ｗ〜１５Ｗである場合、ガイド光制御部２０は、出力パワーが１５Ｗのときの照射スポット径が最も大きく、出力パワーが１Ｗのときに照射スポット系が最も小さくなるように、ガイド光１６の照射スポット径を連続的又は段階的に変化させる構成が考えられる。手術中の術者は、ガイド光１６の照射スポット径の大小によって、治療用レーザ光１４の出力パワーの高低を視覚的に容易に確認できる。また、被照射体の影響が大きい高出力のときにガイド光１６の照射スポット径を大きくすることで、治療の範囲に近い大きさをガイド光１６で見ることができることになる。
【００２８】
さらに、ガイド光制御部２０は、治療用レーザ光１４の出力パワーの高低の設定に応じて、ガイド光１６の照射パターンを制御してもよい。例えば、連続照射の際の治療用レーザ光１４の出力パワーが１Ｗ〜１５Ｗである場合、出力パワーが１５Ｗのときに点滅周期（ＯＮ／ＯＦＦ周期）が最も短くなり、出力パワーが１Ｗのときに点滅周期が無限大（連続照射）となるように、ガイド光１６の点滅パターンを連続的又は段階的に変化させる構成が考えられる。治療用レーザ光１４の連続照射を行っている術者は、ガイド光１６の点滅パターンによって、治療用レーザ光１４の出力パワーの高低を視覚的に容易に確認できる。治療用レーザ光１４の照射時間が一定時間を経過したところでガイド光１６の照射ＯＮ時間を短く点滅させることにより、術者へ照射時間を知らせることも可能である。
【００２９】
ガイド光制御部２０は、治療用レーザ光１４の設定モードに応じたガイド光１６の発色光、光量、照射スポット径、および照射パターンの制御のうち、いずれか１つのみを採用してもよいし、これらのうち２つ以上を採用してもよい。
【００３０】
本実施の形態１の医療用レーザ装置１０では、設定モードで規定された治療用レーザ光１４の出力条件（出力パワーや照射パターン）をガイド光１６の出力条件（例えば光量、発光色、照射スポット径、照射パターン）によって治療用レーザ光１４の照射中に視覚的に識別することが可能となる。つまり、手術中の術者はガイド光１６の光量、発光色、照射スポット径、照射パターンで治療用レーザ光の出力パワーや照射パターンを容易に確認できる。その結果、誤った設定の出力パワーや照射パターンでの治療用レーザ光１４の照射を防止でき、安全性と使いやすさを向上させることができる。
【００３１】
なお、治療用レーザ光の設定のモードによりガイド光の発光色を変えることは前述したが、さらに患者の皮膚状態（皮膚色など）によりガイド光の発光色を変えても良い。また、ガイド光源が出力するガイド光ではなく、照明用の光源の出力条件を治療用レーザ光の設定モードに応じて制御してもよい。
【００３２】
（実施の形態２）
次に、本発明の実施の形態２について、図面を参照しながら説明する。本実施の形態に係る医療用レーザ装置の全体的な構成は後述する操作部２１を除いて第１の実施の形態と同様である。従って、以下の本実施の形態の説明において、医療用レーザ装置１０の構成については図１を参照する。
【００３３】
本発明の実施の形態２に係る医療用レーザ装置１０は、ガイド光１６のみの照射とガイド光１６および治療用レーザ光１４の両方を照射する機能を備える。具体的には、本実施の形態における操作部２１はいわゆる２段式であり、ＯＦＦ、第１のＯＮ状態、および第２のＯＮ状態という３つの状態を有する。図４を参照すると、操作部２１がＯＦＦであれば、ガイド光制御部２０はガイド光源１５からのガイド光１６の出力を停止させ、主力制御部１２もレーザ発振器１３からの治療用レーザ光１４の出力を停止させる。また、操作部２１が第１のＯＮ状態であれば、ガイド光制御部２０はガイド光源１５からガイド光１６を出力させるが、出力制御部１２はレーザ発振器１３からの治療用レーザ光１４の出力を停止させる。さらに、操作部２１が第１のＯＮ状態であれば、ガイド光制御部２０がガイド光源１５からガイド光１６を出力させると共に、出力制御部１２がレーザ発振器１３から治療用レーザ光１４を出力させる。
【００３４】
また、本実施の形態に係る医療用レーザ装置１０におけるガイド光制御装置２０は、実施の形態１と同様に治療用レーザ１４の設定モードに応じてガイド光１６の出力条件を制御するだけでなく、ガイド光１６のみを照射するときと治療用レーザ光１４とガイド光１６の両方を照射するときでガイド光１６の光量を変更する。図４の例では、治療用レーザ光１４を照射中のとき（操作部２１が第２のＯＮ状態のとき）、ガイド光１６のみを照射中のとき（操作部２１が第１のＯＮ状態のとき）と比較してガイド光１６の出力を低減させることで、まぶしさを低減して治療患部が見やすくできる。
【００３５】
また、ガイド光制御部２０は、治療用レーザ光１４を照射中のとき（操作部２１が第２のＯＮ状態のとき）とガイド光１６のみを照射中のとき（操作部２１が第１のＯＮ状態のとき）でガイド光１６の照射パターンを異ならせてもよい。例えば、ガイド光制御部２０は、ガイド光１６のみを照射中のとき（操作部２１が第１のＯＮ状態のとき）はガイド光源１５からガイド光１６を連続照射させる一方、治療用レーザ光１４とガイド光１６の両方を照射中は治療用レーザ光１４の照射時間に休止時間を設けるのと同じようにガイド光源１５からガイド光１６をパルス照射させてもよい。この場合、手術中の術者はガイド光１６が連続照射であるかパルス照射であるかによって治療用レーザ光１４を照射中であるかガイド光１６のみを照射中であるかを視覚的に容易に確認できる。
【００３６】
さらに、ガイド光制御部２０は、治療用レーザ光１４を照射中のとき（操作部２１が第２のＯＮ状態のとき）とガイド光１６のみを照射中のとき（操作部２１が第１のＯＮ状態のとき）でガイド光１６を異ならせてもよい。ガイド光１６の発光色を切り換えるためには、ガイド光源１５がそれぞれ異なる波長の複数の発光素子を備え、発光される発光素子を切り換える構成が考えられる。また、ガイド光源１５が単一の発光素子とそれぞれ透過波長の異なる複数のフィルタを備え、発光素子から出力された光を透過させるフィルタを切り換える構成でもよい。治療用レーザ光１４とガイド光１６の両方を照射中はガイド光１６を患部が見やすい発光色を選択することで、治療の様子が術者に分かりやくなる。
【００３７】
次に本発明の実施の形態２にかかる医療用レーザ手術装置の動作について説明する。図５は医療用レーザ装置１０の使用を開始してからレーザの照射を終了するまでの一例を示すフォローチャートである。
【００３８】
初めに装置の電源を投入してから設定モードを使用者が設定入力する（Ｓ１００、Ｓ１０１）。
【００３９】
ここで設定入力された設定モードに応じたガイド光１６の出力条件が前記の通り設定される（Ｓ１０２）。
【００４０】
次に、治療用レーザ光１４およびガイド光１６の照射ＯＮ/ＯＦＦ操作する操作部２１を第１のＯＮ状態にするとガイド光１６のみが出力される（Ｓ１０３、Ｓ１０４）。
【００４１】
次に、操作部２１を第２のＯＮ状態とするとガイド光１６と治療用レーザ光１４の両方が照射される（Ｓ１０５、Ｓ１０６）。
【００４２】
ガイド光１６と治療用レーザ光１４はフットスイッチ２１をＯＦＦにすることで照射を停止させる（Ｓ１０８）。
【００４３】
本実施の形態２によれば、出力制御部１２とガイド光制御部２０を備えることにより、ガイド光１６のみを照射するときと治療用レーザ光１４とガイド光１６の両方を照射するときでガイド光の状態を制御することが可能となり、治療中にガイド光が明るすぎない光量、見やすい発光色、照射パターンを選定することができ、治療しやすい手術視野の確保、ガイド光出力を選定することができる。これにより、ガイド光の有している作用の効果を十分に発揮した使いやすい医用レーザ装置に特に有用である。
【００４４】
実施の形態２のその他の構成及び作用は、実施の形態１と同様である。なお、ガイド光制御部２０は、治療用レーザ１４の設定モードに応じたガイド光１６の出力条件の制御（実施の形態１における制御）は行わず、ガイド光１６のみを照射するときと治療用レーザ光１４とガイド光１６の両方を照射するときでガイド光１６の出力条件を変更する制御のみを実行してもよい。
【産業上の利用可能性】
【００４５】
本発明の医療用レーザ装置によれば、レーザ照射中、視覚的に治療用レーザ光の出力パワーと照射モードを識別することが可能となり、誤った設定の出力パワーや照射モードでの治療用レーザ光の照射を防ぎ、安全性を向上させることができ、さらに、治療光照射中は見やすいガイド光の発光色を選定することやガイド光の明るさを抑えることで、術者が治療をし易くすることができるという効果を有し、より安全で使いやすさが求められる医療用レーザ手術装置に特に有用である。
【符号の説明】
【００４６】
１０  医療用レーザ装置
１１  入力部
１２  出力制御部
１３  レーザ発振器
１４  治療用レーザ光
１５  ガイド光源
１６  ガイド光
１７  集光レンズ
１８  導光路
１９  ハンドピース・チップ
２０  ガイド光制御部
２１  操作部
２２  被照射体
２３  冷却ガス
【図１】
2011019871.tif 000003
【図２】
2011019871.tif 000004
【図３】
2011019871.tif 000005
【図４】
2011019871.tif 000006
【図５】
2011019871.tif 000007